(57)【要約】      （修正有）【課題】手でたたくことにより、健康と運動になり精神の安定を維持する健康器具を提供する。【解決手段】本手たたき器具１セツトの組立ては、袋１（靴下）に中空ボール２を入れ袋（靴下）１の開き口を引張りねじって玉結び１ａしたところにつり下げ紐４とカバー３をかぶせ・カバー端末部３ａを紐で固くむすぶ処理をし、紐を切り糸を通した針で何回も縫い、本手たたき器具１セツトを組立て、ボール２とボール２との間に輪ゴム５をかぶせ組立てが終わる。本手たたき器具２セツトの組立ては上記と同じ方法で手たたき器具１セツトを組立て合計２セツトを一つの長い袋１に入れ、袋内のボール２を外に出さない一連の袋１の閉じる処理をし輪ゴム５をかぶせ、１つの袋に１セツトを入れてたたくか、また１つ袋に２セツト入れてたたくかを選択できる事を特長とする。【選択図】図１
0003167460.tif 000002
【実用新案登録請求の範囲】
【請求項１】
本案の手たたき器具は中空ボールと同じ幅の伸び縮む袋（靴下）に中空ボールを入れる個数により、手たたき器具のたたく面積の広さ、狭さを調整する。
【請求項２】
本案の手たたき器具１セツトの組立て方法は、袋（靴下）の中に中空ボールを（体力、年齢）に合わせて入れ、袋を細めて、引張り、ねじって袋の玉結びをしたところに、つり下げ紐をつけ、カバーをかぶせ、カーバ端末部を紐でくるくる巻いてしつかり結び、紐のむすぶ処理をして紐を切り，針に糸を通し、カーバ端末部を何回も縫い袋の閉じる処理等をして、本案の手たたき器具１セツトを組立て、手たたき器具の１セツトのボールとボールとの間に輪ゴムをかぶせ、または手たたき器具セツトの外側に２足以上の靴下をかぶせることを特長とする。
【請求項３】
本案の手たたき器具の１つの袋に手たたき器具２セツトの組立て方法は、中空ボールと同じ幅の伸び縮む布材で長い袋を作り、（請求項２）のとうり手たたき器具１セツトと別に手たたき器具１セツトを作り、合計２セツトを長い袋に入れ、袋に玉結びをしたところに、つり下げ紐をつけ、カバーをかぶせ、カバー端末部を紐で固くむすぶ処理をし紐を切り糸を通した針で何回も縫い等、袋の閉じる処理等をし、１つの袋に２セツト入りの本案手たたき器具１セツトを組立て、手たたき器具１セツトのボールとボールとのあいだに輪ゴムをかぶせることを特長とする手たたき器具。
【考案の詳細な説明】
【技術分野】
【０００１】  本案の手たたき器具は手でたたくことにより、健康と運動になり精神の安定を維持しょうとする健康器具。
【背景技術】
【０００２】  従来の手たたき器具はたたくところは１個が多くたたく面積も狭く、体の静脈、リンパ節の廻りを手でたたくと手数と時間を要していた。
【考案の概要】
【考案が解決しようとする課題】
【０００３】  本案の手たたき器具で体をたたく面積は袋の中に中空のボールを入れる個数で、たたく面積を広く、狭く、自由に調整しようとする。中空のボールは軽い、重い、柔らかい、硬い等の材料を選択しまた中空ボールの表面は平面なもの、イボイボ等のものに選択し、体力、年齢に応じたやすらぎを得る手たたき器具にする。  手たたき器具の袋は安価な市販品の靴下（袋の代わり）にするか、ボールの径と同じ幅の伸び縮む材料で袋を作るかを選択しようとする。    本案の手たたき器具１セットで体をたたいて袋の中の中空のボールがふわふわしたりまた、袋のボールの移動する等の異和感のないようにする。
本案の手たたき器具は袋（靴下）に中空のボールを入れ袋の閉じる処理をして手たたき器具１セツトを作り、手たたき器具１セツトの両端を両手で持ち、体の平面、曲線等に沿って手たたき器具を曲げて手でたたくようにする。
上記の手たたき器具を、別途に１セツト作り合計２セツトを左手に１セツト、右手に１セツトづつ手で持つてたたくようにする。手たたき器具１セツトと別の１セツト合計２セツトを１つの長い袋に入れ、袋の中のボールが外に出ないように、袋の玉結び等の袋の閉じる処理をすると、１つの袋に手たたき器具２セツトを収納した手たたき器具１セツトが出来るようにした。
【課題を解決するための手段】
【０００４】本案の手たたき器具は中空ボールの弾力性のあるボールを袋に入れる個数で、たたく面積の広さ、狭さをきめ、使用する人に適したものにする。手たたき器具の袋は市販品の靴下にするか、ボールの径と同じ幅で伸び、縮む布材で袋を作るか選択する。
手たたき器具で体をたたくとき、袋（靴下）に入れた中空ボールがふわふわしたり、だぶついたり安定しないときは、手たたき器具１セツトのボールとボールとのあいだに、ボールの丸みが出るまで輪ゴム（既製品）をかぶせる、または手たたき器具１セツトの外周に靴下を２足以上かぶせる。
本案の手たたき器具は体力、年齢に応じた手たたき器具ができる、例えば体力のある人は袋の中に硬式テニスボールを６個入れた手たたき器具１セツトを作り、別途に手たたき器具１セツトをつくり、合計２セツトの手たたき器具を右手に１セツト左手に１セツトを手で持ちたたく。    体力のない人は袋にイボイボつきゴムボールまたはミニボールで手たたき器具を作り用いるか、また，袋に例えば軟式テニスボールを２個入れた手たたき器具１セツトを作り手でたたく、軟式テニスボール入りの手たたき器具１セツトは人の体の柔らかい所をたたくのに用いる。
本案の手たたき器具を組み立てた１例を示すと、袋（靴下）に硬式テニスボールを６個入れ、軍足の開き口を少し引張りねじって袋の玉結びをしたところに、つり下げ紐をつけ、カバーをかぶせ、、カバー端末部を紐でくるくる巻きにしてしつかり結び、紐のむすぶ処理をして紐を切り、針に糸を通してカバー端末部を何回も縫い、手たたき器具１セツトの組立てをする。
手たたき器具１セツトのみで体をたたく、また、手たたき器具１セツトを別途に１セツトを作り合計２セツトで、手たたき器具１セツトを右手に持ち別の手たたき器具１セツトを左手に持ち、２つの方向からいろいろの角度から使用。
前記、手たたき器具１セツトを組立てた方法で、本案の手たたき器具１セツトを作り合計２セツトを１つの袋に組み立てる方法は、  中空ボールの直径と同じ幅の伸び縮む布材でたたく面積を計算し袋の長さを出し袋を作り手たたき器具１セツトを袋に入れ続いて、別の手たたき器具１セツトを袋に入れ袋の開き口を少し引っ張り、ねじって玉結びをしたところに、つり下げ紐をつけ、カバーをかぶせ、カバーの端末部を紐でくるくる巻きにしてしつかり結び紐のむすぶ処理をして紐を切り，針に糸を通してカバー端末部を何回も縫い手たたき器具２セツトの組立てをする。
【考案の効果】
【０００５】本案の手たたき器具は人の体力、年齢に応じて袋（靴下）の中に中空ボールを２個ないし９個等入れることにより、手たたき器具のたたく面積を広く狭く自由に調整できる特長がある。
本案の手たたき器具は袋の代用として安価な靴下を使うか、中空ボールの直径と同じ伸び縮みする布材から袋を作るか選択ができるから安価な手たたき器具をつくれる、伸び縮みする布材から手たたき器具の袋を作るので、手たたき器具１セツトを手に持ち曲げると自由自在に曲がり、，身体の狭い所も体に沿って密着して気持ち良くたたかれる。  ボールの幅と同じ靴下を手たたき器具１セツトの外側に２足以上の靴下をかぶせると感触も良く、袋（靴下）と中空ボールとが一体化し移動しにくい。  手たたき器具１セツトでたたいた時の硬さ、柔らかさは袋（靴下）に硬いボール、柔らかいボールを選ぶことにより違和感を解消できる。体の頭部、首廻り、柔肌などは軟式テニスボールまたは、イボイボつきのゴムボール入りの手たたき器具１セツトでたたくと気持ちよい。  袋（靴下）に中空ボールを入れた手たたき器具１セツトを作り、別の手たたき器具１セツトと合わせ、合計２セツトを１つの長い袋に収納しているのでたたく面積も広く、体をたたく時は短時間にたたかれる。
手たたき器具１セツトを右手に持ちまた別の手たたき器具１セツトを左手に持ち、体をたたけば、２つの方向から体をたたく事ができ体の痛いところをいやすことができる。
手たたき器具１セツトの両端を両手で持ち体の複雑な曲線にそって、手たたき器具を（Ｌ型、Ｕ型、等）に曲げて、体をたたくと筋肉をほぐしたり、体（手と足のつけね、静脈のまわり、リンパ節のまわりなど）を、たたけば血管の循環を良くしたりする事が出来る。
手たたき器具２セツトあるいは１セツトで体をたたいてみて、手たたき器具の袋と中空ボールとが一体化しないとか、ボールがふわふわしたり、だぶっくときは手たたき器具１セツトのボールとボールとのあいだに、輪ゴムをまき（ボールの丸みがでるように）すると、手たたき器具１セツトの袋とボールとが一体化して移動しなくなり、たたいて安定した手たたき器具１セツトになる。
本案の手たたき器具は電気を使用しないのでいろいろの場所で使用でき、手たたき器具は自分の手でたたくから運動にもなり、自分の体調に合わせて手でたたく強さ、弱さ、スピードも自分に合わせ気持ち良くたたかれるから理想的な手たたき器具といえる。
【図面の簡単な説明】
【０００６】
【図１】本考案の手たたき器具１セツトの断面図。
【図２】本考案の手たたき器具の２セツトを１つ袋に入れた手たたき器具の断面図。
【考案を実施するための形態】
【０００７】本案の手たたき器具は市販品の靴下を袋として使うか、またボールと同じ幅で伸び縮む布材で作る袋を使うか選択し、袋（靴下）に中空ボールを入れる個数で、たたく面積を調整（広く、狭く）し袋の長さをきめ、袋からボールが外に出ないよう袋に玉結び等の袋の閉じる処理をする。
【実施例】
【０００８】添付図面と符号により、１つの袋に手たたき器具１セツトを収納した実施例を説明する、１袋（靴下）の開き口を開き例えばテニス硬式２ボールを６個入れ、１袋の開き口を少し引っ張り少し細めて１ａ袋の玉結びをしたところに４つり下げ紐をつけ、３カバーをかぶせ、３ａカバー端末部を紐でくるくる巻きにし、しつかり結び紐を切り、針に糸を通した針で何回も縫い袋の閉じる処理をして、手たたき器具１セツトを組立てる。１袋の中の中空の２ボールが移動するのを防止するため手たたき器具１セツトの２ボールと２ボールとのあいだに５輪ゴムをかぶせか、また、手たたき器具１セツトの外側に２足以上の靴下をかぶせると手たたき器具（１セツトを収納）の組立てが終わる。【０００９】上記（０００８）の実施の方法により別の手たたき器具１セツトを作り、１つの袋に合計２セツトを収納した実施例を説明する、１袋は２ボールの直径と同じ幅の伸び縮む布材でたたく面積を算出し１袋の長さを決めてから１袋を作り、手たたき器具１セツトを袋に入れ続いて別の手たたき器具１セツト１袋に入れ、合計２セツトを１つの１袋に入れ１袋の開き口を引っ張り、細めて１ａ袋の玉結びをしたところに、４つり下げ紐をつけ、３カバーをかぶせ、３ａカバ−端末部を紐でくるくる巻き、しつかり結び紐を切り糸に針を通して何回も縫い袋の閉じる処理をして２セツト入りの手たたき器具セツトを組立て、手たたき器具セツトの２ボールと２ボールとの間に５輪ゴムをかぶせると手たたき器具（２セツトを収納）の組立てが終わる。
【符号の説明】
【００１０】１    袋
１ａ  袋の玉結び
２    ボール
３    カバー
３ａ  カバー端末部
４    つり下げ紐
５    輪ゴム
【図１】
0003167460.tif 000003
【図２】
0003167460.tif 000004
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
中空ボールと同じ幅の伸び縮む袋に、中空ボールを入れた手たたき器具。
【請求項２】
中空ボールと同じ幅の伸び縮む袋に、中空ボールを入れた個数により、たたく面積を調整できる手たたき器具。
【請求項３】
伸び縮む袋の中に中空ボールを入れ、この袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋を閉じる処理をし、袋の上からボールとボールとのあいだに輪ゴムをかぶせた手たたき器具。
【請求項４】
中空ボールと同じ幅の伸び縮む袋に、中空ボールを入れた手たたき器具を作り、別の、中空ボールと同じ幅の伸び縮む袋に、中空ボールを入れた手たたき器具を作り、それぞれの手たたき器具２個を同じ幅の伸び縮む長い袋の中に入れ、袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋を閉じる処理をし、袋の上からボールとボールとのあいだに輪ゴムをかぶせた手たたき器具。
【請求項５】
前記、伸び縮む袋が靴下である。請求項１から４のいずれかに記載の手たたき器具。
【手続補正２】
【補正対象書類名】明細書
【補正対象項目名】０００４
【補正方法】変更
【補正の内容】
【０００４】本考案は中空ボールと同じ幅の伸び縮む袋に、中空ボールを入れた手たたき器具である。また本考案は中空ボールと同じ幅の伸び縮む袋に、中空ボールを入れた個数により、たたく面積を調整できる手たたき器具である。  また本考案は伸び縮む袋の中に中空ボールを入れ、この袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋を閉じる処理をし、袋の上からボールとボールとのあいだに輪ゴムをかぶせた手たたき器具である。    また本考案は中空ボールと同じ幅の伸び縮む袋に、中空ボールを入れた手たたき器具を作り、別の、中空ボールと同じ幅の伸び縮む袋に、中空ボールを入れた手たたき器具を作り、それぞれの手たたき器具２個と同じ幅の伸び縮む長い袋の中に入れ、袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋の閉じる処理をし、袋の上からボールとボールとのあいだに輪ゴムをかぶせた手たたき器具である。    また本考案は伸び縮む袋が靴下である。請求項１から４のいずれかに記載の手たたき器具である。
【手続補正書】
【提出日】平成23年2月3日(2011.2.3)
【手続補正１】
【補正対象書類名】実用新案登録請求の範囲
【補正対象項目名】請求項２
【補正方法】変更
【補正の内容】
【請求項２】
中空ボールと同じ幅の伸び縮む袋に、中空ボールを入れた個数により、たたく面積を調整できる請求項１に記載の手たたき器具。
【手続補正２】
【補正対象書類名】実用新案登録請求の範囲
【補正対象項目名】請求項５
【補正方法】変更
【補正の内容】
【請求項５】
前記伸び縮む袋が靴下である請求項１から４のいずれか１に記載の手たたき器具。
【手続補正３】
【補正対象書類名】明細書
【補正対象項目名】０００４
【補正方法】変更
【補正の内容】
【０００４】本考案は中空ボールと同じ幅の伸び縮む袋に、中空ボールを入れた手たたき器具。
また本案は中空ボールと同じ幅の伸び縮む袋に、中空ボールを入れた個数により、たたく面積を調整できる請求項１に記載の手たたき器具。  また本案は伸び縮む袋の中に中空ボールを入れ、この袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋を閉じる処理をし、袋の上からボールとボールとのあいだに輪ゴムをかぶせた手たたき器具。
また本案は中空ボールと同じ幅の伸び縮む袋に、中空ボールを入れた手たたき器具を作り、別の、中空ボールと同じ幅の伸び縮む袋に、中空ボールを入れた手たたき器具を作り、それぞれの手たたき器具２個と同じ幅の伸び縮む長い袋のなかにいれ、袋を細めて、引張り、ねじって袋の玉結びをしたところに、つり下げ紐をつけ、カバーをかぶせ、カバー端末部を紐でくるくる巻いてしっかり結び、紐のむすぶ処理をして紐を切り、針に糸を通し、カバー端末部を何回も縫い袋の閉じる処理をし、袋の上からボールとボールとのあいだに輪ゴムをかぶせた手たたき器具。    また本案は伸び縮む袋が靴下である請求項１から４のいずれか１に記載の手たたき器具。